(57)【要約】      （修正有）【課題】イカ釣りに使うイカツノと餌木或いは集魚灯の本体に内蔵する発光を簡単な操作で色を変えて照射の出来る発光色可変の出来るイカツノと餌木或いは集魚灯を提供する。【解決手段】イカツノＡにおいて、本体１に内蔵して点灯機能を持つ白色発光ダイオード２の位置する外周を透明樹脂で成る発光部１Ａで覆い、これらを巻装し移動Ｔ可能な複数分割色調Ｐの透光性着色樹脂材でなるフイルター体３を使い、発光色Ｎをフイルター体３の色調Ｐで外部照射可能な構成にする。また、前記する外部を照射する白色発光ダイオード２の位置する外周の一部の発光部１Ａを巻装するフイルター体３を単一の色調Ｐにし、着脱自在に色変え可能な構成にする。更に、イカツノＡの本体１の端子断面に白色発光ダイオード２を透光させてスポット照射にし、該スポット照射部に透光性色調部材でなるシリコンキャップを着脱自在に被せることで発光色Ｎの色変え可能な構成にする。【選択図】図１
2010200736.tif 000002
【特許請求の範囲】
【請求項１】
イカ釣りに使う、イカツノＡにおいて、本体１に内蔵して点灯機能を持つ白色発光ダイオード２の位置する外周の一部を透明樹脂で成る発光部１Ａで覆い、これらを、巻装し移動Ｔ可能な複数分割色調Ｐの透光性着色樹脂材でなる、フイルター体３を使い、発光色Ｎをフイルター体３の色調で外部照射可能にした事を特徴とする、発光色可変の出来るイカツノ。
【請求項２】
前記する外部を照射する白色発光ダイオード２の位置する外周の発光部１Ａを巻装するフイルター体３を単一の色調Ｐにし、着脱自在に色変え可能にしたことを特徴とする、請求項１記載の、発光色可変の出来るイカツノ。
【請求項３】
前記する、イカツノＡの本体１の端子断面１ａに白色発光ダイオード２を透光させてスポット照射にし、該スポット照射部に、透光性色調部材でなるシリコンキャップ５を着脱自在に被せることで発光色Ｎの色変え可能にしたことを特徴とする、請求項１記載の発光色可変の出来るイカツノ。
【請求項４】
イカ釣りに使う、餌木Ｂにおいて、本体１０に内蔵して点灯機能を持つ白色発光ダイオード２の発光色Ｎを、着脱自在でなる透光性色調部材の本体１にし、発光色Ｎを本体樹脂の色調で外部を照射可能にした事を特徴とする発光色可変の出来る餌木。
【請求項５】
前記するイカツノＡ或いは、餌木Ｂに具備する傘針４を除去で成る本体１００構成での集魚灯にしたことを特徴とする、請求項１，２、３及び４項記載の発光色可変の出来る集魚灯。
【発明の詳細な説明】
【技術分野】
【０００１】  この発明は磯や防波堤からの釣りとなる、アオリイカ、ケンサキイカ類や、そして又、船釣りが中心となるコウイカ、スルメイカ、ヤリイカ等を釣り上げるのに疑似餌として使われるイカツノや餌木或いは集魚灯の改良に関する発明で、詳しくは、これらのイカ釣り用具の疑似餌や集魚灯の本体に発光ダイオードの点灯機能を内蔵し、照射の発光色調を安直に釣り場で可変が出来、釣りの対象イカに順応して疑似餌の色調を変えながらイカ釣りの釣果を上げるに使うイカ釣り用具に関する。
【背景技術】
【０００２】  イカ類の釣りの仕掛けは、防波堤釣りでのアオリイカ、ケンサキイカ類等は最も良く釣れる時間帯とされる日没から３時間程度での薄がりで釣りとなる為、電気ウキや立ちウキを使い餌さは餌木と呼ばれる疑似餌を吊るした仕掛けで、イカの生息する潮の流れのゆるいところで、イカ釣りが行なわれ、釣り上げ時は海面をライトで照らし捕獲する等が行なわれる。そして又立ちウキを使わず、胴づき仕掛け（ブランコ）でのイカ釣りは海釣りとして、沖の深場に生息するスルメイカ等の水深１００〜１８０メートルのところに群れをなして泳いでいる生息ポイントでスルメイカ等の釣りに細長い着色樹脂製の傘針付きのイカツノと呼ばれる疑似餌が吊るされる。さらに、水深２００メートル前後の深海に生息し、潮流に乗って移動する足の長さに比べ胴の長いヤリイカ等も又ハリスに数本のイカツノを仕掛けとして使い捕獲される。これらの疑似餌で、本発明に最も近い技術として知られる疑似餌は鉛製や合成樹脂製の本体に蓄光樹脂材でなるカバーを巻装しての，蓄光付きで光るイカ釣り用の疑似餌が知られる。（特許文献１参照）【０００３】  そして又、水中暗闇で疑似餌や釣り餌の所在を、近辺に生息する魚類に光りで知らせ、誘き寄せるのに、発光ダイオードを内蔵して外部に光りを照射する構成で成る集魚灯が知られる。（特許文献２参照）【０００４】
【特許文献１】出番番号  実願平７−１４８４５号
【０００５】
【特許文献２】出番番号  実願平５−４９７３２号
【発明の開示】
【発明が解決しようとする課題】
【０００６】  しかしながら上記する従来技術での特許文献１でのイカツノ本体の光りは、蓄光材を合成樹脂にブレンドしての発光を使う事で、外部の光りを受け、その光りが取り除かれる事で徐々に減光し光りを完全に消滅する為、暗い海底に放置された蓄光材でのイカツノは外部からの光りが遮断された後は数時間たてば光りのないイカツノに成ってしまうという課題がある。【０００７】  次に又、特許文献２での発光ダイオードの光りは乾電池を使っての照射で、電池が消耗すまでの間光りを放つが、発光ダイオードの色調によって光りの色が決められる為、イカの興味の引く光の交換は個別で用意する色違いのイカツノに交換をしない限り釣りの成果を期待出来ない等の課題が残る。このように、イカの種類により或いは海中の潮の流れや、イカの生息する環境の変化によっては、イカにとっては好みの色も違うことで、釣りの成果を上げるのに、安直に疑似餌の発光色をトライしながら変えることの出来るイカツノや餌木或いは集魚灯が強く要望されていた。
【課題を解決するための手段】
【０００８】  この発明はかかる課題を解決する為に、請求項１での発明は図１と図３で述べるように、イカ釣りに使う、イカツノＡにおいて、本体１に内蔵して点灯機能を持つ白色発光ダイオード２の位置する外周の一部を透明樹脂で成る発光部１Ａで覆い、これらを、巻装し移動Ｔ可能な複数分割色調Ｐの透光性着色樹脂材でなる、フイルター体３を使い、発光色Ｎをフイルター体３の色調で外部照射色に変える構成にしている。【０００９】つぎに、請求項２での発明は図２で述べるように、前記する外部を照射する白色発光ダイオード２の位置する外周の一部の発光部１Ａを巻装するフイルター体３を単一の色調Ｐにし、着脱自在に色違いのフイルター体３を変えて色変えの出来る構成にしている。【００１０】  つぎに又、請求項３での発明は図４で述べるように、前記する、イカツノＡの本体１の端子断面１ａに白色発光ダイオード２を透光させてスポット照射にし、該スポット照射部に、透光性色調部材でなる色違いのシリコンキャップ５を夫々着脱自在に被せることで発光色Ｎの色変え可能な構成とする。【００１１】  また、請求項４での発明は図５で述べるように、イカ釣りに使う、餌木Ｂにおいて、本体１０に内蔵して点灯機能を持つ白色発光ダイオード２の発光色Ｎを、着脱自在でなる透光性色調部材の本体１にし、発光色Ｎを本体樹脂の色調で外部を照射可能な構成とする。【００１２】  つぎに、請求項５での発明は図６で述べるように、前記するイカツノＡ或いは、餌木Ｂに具備する傘針４を除去で成る本体１００にして集魚灯を構成している。
【発明の効果】
【００１３】  本発明は、上述の通り構成作用するので次の優れた効果を奏する。即ち、請求項１での効果は図１，図３で示すように、幾つかに分割されて色のついたフイルターをスライドさせながら、好みの色を発光ダイオードに被せ、フイルターの色に早変わりする、発光色可変の出来るイカツノを提供出来る。【００１４】  また、請求項２の効果は図２で示すように、個別でなる単色のフイルターを被せ、交換しながら光りの色を変える、発光色可変の出来るイカツノを提供出来る。【００１５】  つぎにまた、請求項３でのイカツノの効果は傘針軸の端子に白色発光ダイオードの光を透過させ、エッジライト式に光りを端子に誘導し、先端の発光部に色の付いたシリコンキャップを被せて、スポットライト式に、深海の遠方を照らす発光色可変の出来るイカツノを提供出来る。【００１６】  そしてまた、請求項４での効果は樹脂色の違った本体を着脱する事で、本体の光の色を変える構造での発光色可変の出来る餌木を提供出来る。【００１７】  請求項５での効果は魚を誘き寄せるに最適な集魚灯として前記するイカツノや餌木から傘針を取り除くだけの構造で色を変える事の出来る光りを出す集魚灯を提供出来る。
【発明を実施するための最良の形態】
【００１８】  以下に図示の実施例に基づいて本発明を更に詳細に説明する。即ち、図１、図３（ａ），（ｂ）は本発明での第一実施例を示しての一部断面での正面図で、イカ釣りに使われるイカツノＡにおいて、これらは、先端部に傘針４が固定され、他方の端子部にはハリスが接続する為の孔が開口し、ハリスが接続されて道糸に結ばれる合成樹脂製の本体１は細長い棒状で、この本体は、本実施例ではキャップ体１ｃと傘針体１ｄに接合一体化する発光部１Ａとの２分割での夫々がネジ締めでオーリング１ｂを挟んで完全密封式に結合着脱自在に構成し、且つネジ式スイッチでの白色ダイオード２の点灯機能を内蔵する構成である。【００１９】  前記する白色発光ダイオード２の点灯機能は乾電池と白色発光ダイオード２は傘針体１ｄに内蔵し、そしてキャップ体１ｃにはマイナス電極を内蔵する事で、双方の点灯パーツはスイッチ結線を構成し、これらのキャップ体１ｃと傘針体１との結合をクッション性のゴム質オーリング１ｂを挟んでのネジ締めによって、双方は密封式に結合され、そして双方のネジ結合の締め付けと締め戻し操作でスイッチングされる点灯機能が実施されている。【００２０】  そして、前記する点灯機能を持つ白色発光ダイオード２を無色透明の樹脂材でのリング状の発光部１Ａで巻装され傘針体１ｄの一部に一体化され構成し、これらでなる本体１の発光部１Ａ外周を巻き込む薄板リング状の樹脂製の筒状フイルター体３が発光部１Ａに重なり、其の面をスライド自在に組み込まれる。これらのフイルター体３は、長手方向に等分化された複数の色分け着色での構成で、例えば本実施例は赤色、緑色、青色の３色分割構成で、釣り場での本体１からの照射光色の選択はフイルター体３をスライドさせ発光部１Ａにフイルター体３の色を合わせる安直なスライド操作で行なわれ、視覚を頼りに餌さを探すイカ釣りの光るイカツノＡを具現化している。【００２１】  つぎに図２は本発明での第ニ実施例で一部断面で要部を示しての正面図で、前記する白色発光ダイオード２を巻き込んだ発光部１Ａの外周を包み込む着脱自在のフイルター体３は一色構成で、キャップ体１ｃを外して個別に用意する色違いのフイルター３を交換する構成にする事で、イカツノＡの本体１長さの比較的短い光るイカツノＡにしている。
また、図４は本発明での第三実施例で一部断面で要部を示しての斜視図で、前記するイカツノＡの本体１一部の傘針体１ｄの材質を無色透明材にし、其の端子断面１ａに白色発光ダイオード２の光りを配置し、エッジライト式に先端に光りを透光させ、遠方を照射するスポットライトにし、これらの無色スポットライトに透光材で色付きのシリコンキャップ５を着脱自在に被せることで発光色Ｎの色を変える事の出来るイカツノＡにしている。【００２２】  つぎに図５は本発明での第四実施例で一部断面での全体斜視図で、前記するイカツノＡが長手の棒状での本体１での疑似餌として構成し、沖の深場を胴づき仕掛けで狙うスルメイカやヤリイカ等の釣りに使われるが、本実施例での餌木Ｂは磯や防波堤からの釣りに使う擬似餌としてアオリイカやケンサキイカ等を対象としてのイカを釣るのに使われるが本体１をイカの餌さとなる獲物形状魚似に仕立て内部に白色発光ダイオード２を内蔵し、外装の樹脂色を例えば、赤色や緑色や青色に変えることで，発光色Ｎの色変えを可能にした構成である。【００２３】  そしてまた、図６は本発明での第五実施例での全体斜視図で、前記するイカツノＡ或いは、餌木Ｂに具備する傘針４を徐去した本体１００に構成し、内蔵する白色発光ダイオード２の色をイカツノＡ式或いは、餌木Ｂ式の疑似餌の構成にする事で、魚類を誘き寄せる為の、色変わりの出来る、集魚灯の構成としている。
【図面の簡単な説明】
【００２４】
【図１】  本発明に係わる第１実施例で一部断面での正面図である。
【図２】  本発明に係わる第２実施例で一部断面での要部正面図である。
【図３】  図中ａ図は第１実施例での使用例を示す斜視図である。図中ｂ図は第１実施例での使用例を示す要部斜視図である。
【図４】  本発明に係わる第３実施例で一部断面での要部斜視図である。
【図５】  本発明に係わる第４実施例で一部断面での斜視図である。
【図６】  本発明に係わる第５実施例を示す斜視図である。
【符合の説明】
【００２５】  Ａ    イカツノ
Ｂ    餌木
Ｎ    発光色
Ｐ    複数分割色
Ｔ    移動
１    本体
１Ａ  発光部
１ａ  端子断面
１ｂ  オーリング
１ｃ  キャップ体
１ｄ  傘針体
２    白色発光ダイオード
３    フイルター体
４    傘針
５    シリコンキャップ
【図１】
2010200736.tif 000003
【図２】
2010200736.tif 000004
【図３】
2010200736.tif 000005
【図４】
2010200736.tif 000006
【図５】
2010200736.tif 000007
【図６】
2010200736.tif 000008